(57)【要約】  照明装置は、可視光を照射する第一光源と、第一光源が照射する可視光を散乱させる散乱部材と、第一光源とは異なる方向から、拡散部材へ、第一光源よりも色温度が高い光を照射する第二光源とを備える。
2019043872.tif 000002
【特許請求の範囲】
【請求項１】
可視光を照射する第一光源と、
前記第一光源が照射する前記可視光を散乱させる散乱部材と、
前記第一光源とは異なる方向から、前記散乱部材へ、前記第一光源よりも色温度が高い光を照射する第二光源とを備える、照明装置。
【請求項２】
前記散乱部材は、１ｐｐｍから３０００ｐｐｍの無機酸化物を含む、請求項１に記載の照明装置。
【請求項３】
前記第一光源、および前記第二光源とは異なる方向から、前記散乱部材へ、前記第一光源よりも色温度が低い光を照射する第三光源を更に備える、請求項１又は請求項２に記載の照明装置。
【請求項４】
前記第一光源および前記第二光源を点灯する制御と、前記第一光源、前記第二光源および前記第三光源を点灯する制御と、前記第二光源および前記第三光源を点灯する制御とを切り替える制御部を更に備える、請求項３に記載の照明装置。
【請求項５】
前記制御部は、前記第一光源および前記第二光源を点灯することで青空に太陽が見られる状況を再現し、前記第一光源、前記第二光源および前記第三光源を点灯することで夕暮れに太陽が見られる状況を再現し、前記第二光源および前記第三光源を点灯することで夕暮れの状況を再現する、請求項４に記載の照明装置。
【請求項６】
ユーザの操作に応じて、前記照明装置に、青空に太陽が見られる状況を再現する命令、夕暮れに太陽が見られる状況を再現する命令、および夕暮れの状況を再現する命令のいずれかを含む制御信号を送信するリモートコントローラと、
前記リモートコントローラが送信した前記制御信号を受信する受信部と
を更に備え、
前記制御部は、前記受信部が受信した前記制御信号に含まれる命令に基づいて、青空に太陽が見られる状況を再現する命令が含まれる場合には前記第一光源および前記第二光源を点灯し、夕暮れに太陽が見られる状況を再現する命令が含まれる場合には前記第一光源、前記第二光源および前記第三光源を点灯し、夕暮れの状況を再現する命令が含まれる場合には前記第二光源および前記第三光源を点灯する、請求項４又は請求項５に記載の照明装置。
【請求項７】
前記第一光源は２０００Ｋ−２５０００Ｋの色温度を有し、前記第二光源は１００００Ｋ−３００００Ｋの色温度を有し、前記第三光源は２０００Ｋ−６５００Ｋの色温度を有する、請求項３に記載の照明装置。
【請求項８】
前記第二光源は、人の身長よりも高い位置からのみ視認できる位置に設置される、請求項１から請求項７のいずれか一項に記載の照明装置。
【発明の詳細な説明】
【技術分野】
【０００１】
本発明の実施形態は、照明装置に関する。
【背景技術】
【０００２】
太陽光などの自然光を再現した照明システムが知られている。この照明システムは、発光ダイオード(light emitting diode: LED)を太陽と同じ波長に調整することで、太陽光のような光を作り出している。照明システムを、閉じた環境の中で使用することによって、視覚的な快適さを与えることができる。
自然光を再現した照明システムに関して、可視光のビームを放出する第１の光源と、光ビームを受け取る内面および外面によって境界画定された拡散光発生器であり、光ビームに対して少なくとも部分的に透明な拡散光発生器とを含む照明システムが知られている（例えば、特許文献１参照）。
【先行技術文献】
【特許文献】
【０００３】
【特許文献１】特表２０１６−５１４３４０号公報
【発明の概要】
【発明が解決しようとする課題】
【０００４】
前述した照明システムは、空および太陽が窓を通して部屋を照明するときと同様の状況を、ユーザに知覚させる。しかし、空および太陽が窓を通して部屋を照明するときと同様の状況には、青空や、夕暮れなど異なる状況が含まれる。【０００５】
本発明は、上記問題を解決すべくなされたもので、空および太陽が窓を通して部屋を照明するときに自然界で起こる状況を人工的に再現できる照明装置を提供することを目的とする。
【課題を解決するための手段】
【０００６】
上記問題を解決する本発明の一態様は、可視光を照射する第一光源と、前記第一光源が照射する前記可視光を散乱させる散乱部材と、前記第一光源とは異なる方向から、前記散乱部材へ、第一光源よりも色温度が高い光を照射する第二光源とを備える、照明装置である。
【発明の効果】
【０００７】
本発明の実施形態によれば、空および太陽が窓を通して部屋を照明するときに自然界で起こる状況を人工的に再現できる照明装置を提供することができる。
【図面の簡単な説明】
【０００８】
【図１】本実施形態の照明装置の一例を示す概略図である。
【図２】本実施形態の照明装置の照明例（その１）を示す図である。
【図３】本実施形態の照明装置の照明例（その２）を示す図である。
【図４】本実施形態の照明装置の照明例（その３）を示す図である。
【図５】本実施形態の照明装置のリモートコントローラの一例を示す機能ブロック図である。
【図６】本実施形態の照明装置のリモートコントローラの操作部の一例を示す模式図である。
【図７】本実施形態の照明装置の設置例（その１）を示す図である。
【図８】本実施形態の照明装置の動作の一例（その１）を示すシーケンスチャートである。
【図９】本実施形態の照明装置の動作の一例（その２）を示すシーケンスチャートである。
【図１０】本実施形態の照明装置の動作の一例（その３）を示すシーケンスチャートである。
【図１１】本実施形態の照明装置の設置例（その２）を示す図である。
【発明を実施するための形態】
【０００９】
次に、本実施形態に係る照明装置を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
【００１０】
（実施形態）
（照明装置）
図１は、本実施形態の照明装置の一例を示す概略図である。本実施形態の照明装置１００は、リモートコントローラ２００が送信する制御信号にしたがって、その照明装置１００が設置された部屋などの空間に、青空に太陽が見られる状況と、夕暮れに太陽が見られる状況と、夕暮れの状況とを人工的に再現する。
【００１１】
照明装置１００は、第一光源１１０と、第二光源１２０と、第三光源１３０と、散乱部材１４０と、受信部１５０と、制御部１６０と、筐体１７０とを備える。
【００１２】
第一光源１１０と制御部１６０との間は、制御線１１４によって接続される。第二光源１２０と制御部１６０との間は、制御線１２４によって接続される。第三光源１３０と制御部１６０との間は、制御線１３４によって接続される。
【００１３】
第一光源１１０と、制御線１１４と、第二光源１２０と、制御線１２４と、第三光源１３０と、制御線１３４と、散乱部材１４０と、受信部１５０と、制御部１６０とは、筐体１７０の内部に実装される。
【００１４】
筐体１７０の一例は、直方体であり、その直方体を構成する六面のうちの一面に開口部１７１を有する。開口部１７１の形状は、矩形であってもよいし、円形であってもよい。照明装置１００は、散乱部材１４０を通じて、開口部１７１から照射される可視光によって、青空に太陽が見られる状況と、夕暮れに太陽が見られる状況と、夕暮れの状況とを人工的に再現する。
【００１５】
第一光源１１０は、発光ダイオードなどの発光素子によって実現される。第一光源１１０は、発光面を向けている方向１１２に沿って、可視光を照射する。第一光源１１０は、例えば２０００Ｋ−２５０００Ｋの色温度を有する。
【００１６】
第二光源１２０は、発光素子によって実現される。第二光源１２０は、発光面を向けている方向１２２に沿って、可視光を照射する。第二光源１２０は、例えば１００００Ｋ−３００００Ｋの色温度を有する。つまり、第二光源１２０は、第一光源１１０よりも色温度が高い光を照射する。
【００１７】
第三光源１３０は、発光素子によって実現される。第三光源１３０は、発光面を向けている方向１３２に沿って、可視光を照射する。第三光源１３０は、例えば２０００Ｋ−６５００Ｋの色温度を有する。つまり、第三光源１３０は、第一光源１１０よりも色温度が低い光を照射する。
【００１８】
散乱部材１４０は、平板の形状を有し、筐体１７０の開口部１７１から、平板の一面が見えるように配置される。散乱部材１４０は、基材の主な材料である第一材料と、その基材に添加される第二材料とを含む。
【００１９】
第一材料は、光学的透過性を有する樹脂によって構成される。第一材料は、熱可塑性樹脂、熱硬化性樹脂、光硬化性樹脂、アクリル樹脂、エポキシ樹脂、ポリエステル樹脂、ポリスチレン樹脂、ポリオレフィン樹脂、ポリアミド樹脂、ポリイミド樹脂、ポリビニル樹脂、ブチラール樹脂、フッ素系樹脂、酢酸ビニル樹脂、シリコーン樹脂、アクリルスチレン樹脂、又は、ポリカーボネート、液晶ポリマー、ポリフェニレンエーテル、ポリスルホン、ポリエーテルスルホン、ポリアリーレート、非晶性ポリオレフィンなどのプラスチック類、又は、それらの混合物又はコポリマのいずれかを含む。
【００２０】
第二材料は、例えば、ＺｎＯ、ＴiＯ２、ＺｒＯ２、ＳｉＯ２、Ａｌ２Ｏ３などの無機酸化物である。第二材料は、第一材料とは異なる屈折率を有している。第一材料に対する第二材料の割合は、第二材料の粒径や第一材料の板のサイズにもよるが１ｐｐｍから３０００ｐｐｍであり、５０ｐｐｍから１５０ｐｐｍと、１０００ｐｐｍから３０００ｐｐｍとがより好ましい。さらに、ある条件では第一材料に対する第二材料の割合は、６０ｐｐｍから１２０ｐｐｍが最も好ましい結果が得られた。
【００２１】
また、ある条件では第二材料の結晶子径は１５ｎｍから２５０ｎｍが最も好ましい結果が得られた。
【００２２】
受信部１５０は、後述するリモートコントローラ２００が送信した制御信号を受信し、受信した制御信号を制御部１６０へ出力する。
【００２３】
制御部１６０は、受信部１５０が出力した制御信号を取得し、取得した制御信号に基づいて、第一光源１１０、第二光源１２０、および第三光源１３０の各々の点灯又は消灯を制御する。
【００２４】
筐体１７０は、その筐体１７０の内側が、入射した光を吸収することができる材料でコーティングされる。具体的には、筐体１７０の内側は、黒色で、可視範囲における吸収係数が７０％よりも高く、好ましくは９０％よりも高く、より好ましくは９５％よりも高く、最も好ましくは９７％よりも高い材料で、コーティングされる。
【００２５】
筐体１７０の内側のコーティングは、第一光源１１０が照射した光のうち直接に到来した光、第一光源１１０が照射した光のうち散乱部材１４０で反射した光、第一光源１１０が照射した光のうち散乱部材１４０で散乱した光などを吸収することを目的とする。また、筐体１７０の内側のコーティングは、第二光源１２０が照射した光のうち直接に到来した光、第二光源１２０が照射した光のうち散乱部材１４０で反射した光、第二光源１２０が照射した光のうち散乱部材１４０で散乱した光などを吸収することを目的とする。また、筐体１７０の内側のコーティングは、第三光源１３０が照射した光のうち直接に到来した光、第三光源１３０が照射した光のうち散乱部材１４０で反射した光、第三光源１３０が照射した光のうち散乱部材１４０で散乱した光などを吸収することを目的とする。また、筐体１７０の内側のコーティングは、筐体１７０の外部から到来した光のうち散乱部材１４０を透過した光などを吸収することを目的とする。
【００２６】
第一光源１１０が照射した光の方向と、第二光源１２０が照射した光の方向と、第三光源１３０が照射した光の方向とについて説明する。第一光源１１０は、発光面を向けている方向１１２へ、光を照射する。第二光源１２０は、発光面を向けている方向１２２へ、光を照射する。第三光源１３０は、発光面を向けている方向１３２へ、光を照射する。
【００２７】
発光面を向けている方向１１２、発光面を向けている方向１２２、および発光面を向けている方向１３２を説明するに当たり、座標軸を定義する。地表面に平行で、且つ互いに直交する二つの方向をＸ軸とＹ軸とする。また、Ｘ軸とＹ軸とに垂直な鉛直方向をＺ軸とする。散乱部材１４０の長辺からなる面のうちの一方は、Ｘ軸とＹ軸に平行に、筐体１７０の開口部１７１から見えるように実装される。
【００２８】
第一光源１１０の発光面を向けている方向１１２はＺ軸方向である。第二光源１２０の発光面を向けている方向１２２と、散乱部材１４０の中心から鉛直上方向（−Ｚ軸方向）とのなす角θは、１０度以上９０度未満である。θは６０度以上となる方向であるのがより好ましい。また、第二光源１２０は、一般的な人の身長よりも高い地上から２ｍ以上の位置からのみ視認できる位置に設置される。
【００２９】
第三光源１３０の発光面を向けている方向１３２は、Ｚ軸となす角をφとすると、６０度以上１２０度未満の方向であり、且つ散乱部材１４０の長辺を含む面とは異なる面に向かう方向であるのが好ましい。本実施形態では、Ｚ軸に垂直であり、且つ散乱部材１４０の長辺を含む面とは異なる面に向かう方向をＸ軸とする。
【００３０】
（照明装置の照明例）
制御部１６０は、第一光源１１０および第二光源１２０を点灯する制御と、第一光源１１０、第二光源１２０および第三光源１３０を点灯する制御と、第二光源１２０および第三光源１３０を点灯する制御との間で切り替える。具体的には、制御部１６０は、第一光源１１０および第二光源１２０を点灯することで青空に太陽が見られる状況を再現し、第一光源１１０、第二光源１２０および第三光源１３０を点灯することで夕暮れに太陽が見られる状況を再現し、第二光源１２０および第三光源１３０を点灯することで夕暮れの状況を再現する。
【００３１】
図２は、本実施形態の照明装置の照明例（その１）を示す図である。図２において、第一光源１１０、および第二光源１２０は、塗りつぶさないことによって、光が照射されることを示す。また、第三光源１３０は、塗りつぶすことによって、光が照射されないことを示す。
【００３２】
制御部１６０は、受信部１５０が出力する制御信号に含まれる命令などの制御情報を判定する。制御部１６０は、制御信号に、青空に太陽が見られる状況を再現する命令が含まれる場合に、制御線１１４に電源を供給することによって第一光源１１０に可視光を照射させるとともに、制御線１２４に電源を供給することによって第二光源１２０に可視光を照射させる。制御部１６０は、制御信号に、青空に太陽が見られる状況を再現する命令が含まれる場合に、制御線１３４に電源を供給しない。このため、第三光源１３０は、可視光を照射しない。ここで、第一光源１１０が照射する光の光量と第二光源１２０が照射する光の光量との光量比は、１：０．０１−２であり、より好ましくは１：０．１−１である。
【００３３】
第一光源１１０が発光面を向けている方向１１２へ照射した光は、散乱部材１４０によって、レイリー散乱される。散乱部材１４０によって、波長の短い青色の光が特に強く散乱されるため、散乱部材１４０がレイリー散乱した光は、青く見える。このため、照明装置１００の散乱部材１４０を通じて開口部１７１から照射される光によって、青空を再現することができる。ここで、第二光源１２０が照射した青色光は、第一光源１１０が照射した光が散乱部材１４０によって、レイリー散乱されることによって青色に見えるのを強調する。さらに、第一光源１１０が照射した光は、散乱部材１４０を通じて、太陽のように見える。このため、照明装置１００の散乱部材１４０を通じて開口部１７１から照射される光は、太陽を再現することができる。したがって、照明装置１００の開口部１７１から照射される光によって、青空に太陽が見られる状況を再現することができる。ここで、散乱部材１４０を通じて、開口部１７１から照射され、得られる光の照度は、２０００ｌｘ−２００００ｌｘであり、より好ましくは、５０００ｌｘ−１５０００ｌｘである。
【００３４】
図３は、本実施形態の照明装置の照明例（その２）を示す図である。図２において、第一光源１１０、第二光源１２０、および第三光源１３０は、塗りつぶさないことによって、光が照射されることを示す。
【００３５】
制御部１６０は、受信部１５０が出力した制御信号に、夕暮れに太陽が見られる状況を再現する命令が含まれる場合に、制御線１１４、制御線１２４、および制御線１３４の各々に電源を供給することによって、第一光源１１０、第二光源１２０、および第三光源１３０に可視光線を照射させる。ここで、第一光源１１０が照射する光の光量と第二光源１２０が照射する光の光量と第三光源１３０が照射する光の光量との光量比は、１：０．０１−２：０．１−１２の範囲で変化させることが好ましく、１：０．１−１：１−６の範囲で変化させることがより好ましい。
【００３６】
第一光源１１０が発光面を向けている方向１１２へ照射した光は、散乱部材１４０によって、レイリー散乱される。散乱部材１４０によって、波長の短い青色の光が波長の長い赤色と比較して強く散乱されるため、散乱部材１４０がレイリー散乱した光は、青く見える。このため、照明装置１００の散乱部材１４０を通じて開口部１７１から照射される光によって、青空を再現することができる。ここで、第二光源１２０が照射した青色光は、第一光源１１０が照射した光が散乱部材１４０によって、レイリー散乱されることによって青色に見えるのを強調する。しかし、第三光源１３０が照射した光に比べ、第一光源および第二光源が照射した光の光量は低いため、第三光源１３０が照射した光の影響が大きくなる。
【００３７】
第三光源１３０が発光面を向けている方向１３２へ照射した光は、散乱部材１４０の内部を、全反射を繰り返しながら、Ｘ軸方向へ伝搬していく。伝搬していく光のうち波長の短い青色の光が散乱部材１４０によりレイリー散乱をされ、光の入射面に対して、主に垂直方向（Ｚ軸方向）に照射される。一方、波長の長い赤色の光はレイリー散乱されにくくよりＸ軸方向へ伝搬する。第三光源１３０が照射した光で、散乱部材１４０がレイリー散乱した光は、赤色に見えるため、夕暮れを再現することができる。
【００３８】
また、第一光源１１０が照射した光は、散乱部材１４０を通じて、太陽のように見える。このため、照明装置１００から照射される光によって、太陽を再現することができる。したがって、照明装置１００の散乱部材１４０を通じて開口部１７１から照射される光によって、夕暮れに太陽が見られる状況を再現することができる。ここで、散乱部材１４０を通じて、開口部１７１から照射される光の照度は、１０ｌｘ−１０００ｌｘであり、より好ましくは、２５ｌｘ−１００ｌｘである。
【００３９】
図４は、本実施形態の照明装置の照明例（その３）を示す図である。図４において、第一光源１１０は、塗りつぶすことによって、光が照射されないことを示す。また、第二光源１２０、および第三光源１３０は、塗りつぶさないことによって、光が照射されることを示す。
【００４０】
制御部１６０は、受信部１５０が出力した制御信号に、夕暮れの状況を再現する命令が含まれる場合に、制御線１２４、および制御線１３４に電源を供給することによって、第二光源１２０、および第三光源１３０に可視光を照射させる。制御部１６０は、制御信号に、夕暮れの状況を再現する命令が含まれる場合に、制御線１１４に電源を供給しない。このため、第一光源１１０は、可視光を照射しない。ここで、第二光源１２０が照射する光の光量と第三光源１３０が照射する光の光量との比は、１：０．０１−１の範囲で変化させることが好ましく、１：０．０５−０．５の範囲で変化させることがより好ましい。
【００４１】
第二光源１２０が発光面を向けている方向１２２へ照射した光は、散乱部材１４０によって、レイリー散乱される。散乱部材１４０によって、波長の短い青色の光が特に強く散乱されるため、散乱部材１４０がレイリー散乱した光は、青く見える。また、第三光源１３０が発光面を向けている方向１３２へ照射した光は、散乱部材１４０の内部を、全反射を繰り返しながら、Ｘ軸方向へ伝搬していく。伝搬していく光のうち波長の短い光が散乱部材１４０によりレイリー散乱をされ、光の入射面に対して、主に垂直方向（Ｚ軸方向）に照射される。一方、波長の長い赤色の光はレイリー散乱されにくくよりＸ軸方向へ伝搬する。第三光源１３０が照射した光で、散乱部材１４０がレイリー散乱した光は、赤色に見えるため、夕暮れを再現することができる。ここで、第三光源１３０が照射した光に比べ、第二光源が照射した光の光量は低いため、第三光源１３０が照射した光の影響が大きくなる。このため、照明装置１００の散乱部材１４０を通じて、開口部１７１から照射される光によって、夕暮れを再現することができる。
【００４２】
（リモートコントローラ）
リモートコントローラ２００は、ユーザの操作に応じて、照明装置１００を制御する命令である制御情報を含む制御信号を生成し、生成した制御信号を、照明装置１００へ送信する。
【００４３】
図５は、本実施形態の照明装置のリモートコントローラの一例を示す機能ブロック図である。リモートコントローラ２００は、操作部２１０と、制御部２４０と、送信部２５０と、上記各構成要素を図５に示されているように電気的に接続するためのアドレスバスやデータバスなどのバスライン２７０とを備える。
【００４４】
操作部２１０は、ユーザの操作を受け付ける入力デバイスである。操作部２１０は、ユーザの操作を受け付け、受け付けたユーザの操作を示す情報を、制御部２４０に出力する。
【００４５】
図６は、本実施形態の照明装置のリモートコントローラの操作部の一例を示す模式図である。図６に示される例では、リモートコントローラ２００は、ＯＮボタン２６０と、ＯＦＦボタン２６２と、青空＋太陽ボタン２６４と、夕暮れ＋太陽ボタン２６６と、夕暮れボタン２６８と、太陽調節バー２７２と、青空調節バー２７４と、夕暮れ調節バー２７６とを有する。
【００４６】
ユーザが、ＯＮボタン２６０を押すことによって、操作部２１０は、ＯＮボタン２６０が押されたことを示す情報を作成し、該情報を、制御部２４０へ出力する。
【００４７】
ユーザが、ＯＦＦボタン２６２を押すことによって、操作部２１０は、ＯＦＦボタン２６２が押されたことを示す情報を作成し、該情報を、制御部２４０へ出力する。
【００４８】
ユーザが、青空＋太陽ボタン２６４を押すことによって、操作部２１０は、青空＋太陽ボタン２６４が押されたことを示す情報を作成し、該情報を、制御部２４０へ出力する。さらに、ユーザが、青空＋太陽ボタン２６４を押した場合、太陽調節バー２７２と、青空調節バー２７４との操作が可能にされる。ユーザが、太陽調節バー２７２を操作することによって、操作部２１０は、第一光源１１０の色温度を示す情報を作成し、該情報を、制御部２４０へ出力する。また、ユーザが、青空調節バー２７４を操作することによって、操作部２１０は、第二光源１２０の色温度を示す情報を作成し、該情報を、制御部２４０へ出力する。
【００４９】
ユーザが、夕暮れ＋太陽ボタン２６６を押すことによって、操作部２１０は、夕暮れ＋太陽ボタン２６６が押されたことを示す情報を作成し、該情報を、制御部２４０へ出力する。さらに、ユーザが、夕暮れ＋太陽ボタン２６６を押した場合、太陽調節バー２７２と、青空調節バー２７４と、夕暮れ調節バー２７６の操作が可能にされる。ユーザが、太陽調節バー２７２を操作することによって、操作部２１０は、第一光源１１０の色温度を示す情報を作成し、該情報を、制御部２４０へ出力する。また、ユーザが、青空調節バー２７４を操作することによって、操作部２１０は、第二光源１２０の色温度を示す情報を作成し、該情報を、制御部２４０へ出力する。また、ユーザが、夕暮れ調節バー２７６を操作することによって、操作部２１０は、第三光源１３０の色温度を示す情報を作成し、該情報を、制御部２４０へ出力する。
【００５０】
ユーザが、夕暮れボタン２６８を押すことによって、操作部２１０は、夕暮れボタン２６８が押されたことを示す情報を作成し、該情報を、制御部２４０へ出力する。さらに、ユーザが、夕暮れボタン２６８を押した場合、青空調節バー２７４と、夕暮れ調節バー２７６の操作が可能にされる。ユーザが、青空調節バー２７４を操作することによって、操作部２１０は、第二光源１２０の色温度を示す情報を作成し、該情報を、制御部２４０へ出力する。また、ユーザが、夕暮れ調節バー２７６を操作することによって、操作部２１０は、第三光源１３０の色温度を示す情報を作成し、該情報を、制御部２４０へ出力する。
【００５１】
図５に戻り、説明を続ける。制御部２４０は、操作部２１０が出力したＯＮボタン２６０が押されたことを示す情報を取得し、該情報に基づいて、照明装置１００をオンにする命令であるＯＮ命令を含む制御信号を作成する。
【００５２】
制御部２４０は、操作部２１０が出力したＯＦＦボタン２６２が押されたことを示す情報を取得し、該情報に基づいて、照明装置１００をオフにする命令であるＯＦＦ命令を含む制御信号を作成する。
【００５３】
制御部２４０は、操作部２１０が出力した青空＋太陽ボタン２６４が押されたことを示す情報を取得し、該情報に基づいて、青空に太陽が見られる状況を再現する命令を含む制御信号を作成する。
【００５４】
また、制御部２４０は、操作部２１０が出力した第一光源１１０の色温度を示す情報、および第二光源１２０の色温度を示す情報のいずれか一方又は両方の情報を取得し、該第一光源１１０の色温度を示す情報、および該第二光源１２０の色温度を示す情報といずれか一方又は両方を含む制御信号を作成する。
【００５５】
制御部２４０は、操作部２１０が出力した夕暮れ＋太陽ボタン２６６が押されたことを示す情報を取得し、該情報に基づいて、夕暮れに太陽が見られる状況を再現する命令を含む制御信号を作成する。
【００５６】
また、制御部２４０は、操作部２１０が出力した第一光源１１０の色温度を示す情報、第二光源１２０の色温度を示す情報、および第三光源１３０の色温度を示す情報の少なくとも一つの情報を取得し、該情報の少なくとも一つを含む制御信号を作成する。
【００５７】
制御部２４０は、操作部２１０が出力した夕暮れボタン２６８が押されたことを示す情報を取得し、該情報に基づいて、夕暮れの状況を再現する命令を含む制御信号を作成する。
【００５８】
また、制御部２４０は、操作部２１０が出力した第二光源１２０の色温度を示す情報、および第三光源１３０の色温度を示す情報のいずれか一方又は両方の情報を取得し、該第二光源１２０の色温度を示す情報、および該第三光源１３０の色温度を示す情報のいずれか一方又は両方を含む制御信号を作成する。
制御部２４０は、作成した制御信号を、送信部２５０へ出力する。
送信部２５０は、制御部２４０が出力した制御信号を取得し、該信号を、照明装置１００へ送信する。
【００５９】
（照明装置の動作）
本実施形態の照明装置１００の動作について説明する前に、照明装置１００の設置例について説明する。
【００６０】
図７は、実施形態の照明装置１００の設置例を示す図である。照明装置１００は、部屋３０の天井に設置され、該天井から、室内を照明する。この場合、第二光源１２０は、部屋３０にいる人から見えない位置に実装される。部屋３０の天井に設置されている照明装置１００の動作について説明する。
【００６１】
図８は、実施形態の照明装置の動作の一例（その１）を示すシーケンスチャートである。図８に示される例では、ユーザが、リモートコントローラ２００を操作することによって、ＯＮボタン２６０、青空＋太陽ボタン２６４、ＯＦＦボタン２６２の順に押した場合の動作を示す。
【００６２】
（ステップＳ１０１）  ユーザが、ＯＮボタン２６０を押すと操作部２１０は、ＯＮボタン２６０が押されたことを示す情報を、制御部２４０へ出力する。
【００６３】
（ステップＳ１０２）  制御部２４０は、操作部２１０が出力したＯＮボタンが押されたことを示す情報を取得し、該情報に基づいて、ＯＮ命令を含む制御信号を作成し、該信号を、送信部２５０へ出力する。
【００６４】
（ステップＳ１０３）  送信部２５０は、制御部２４０が出力した制御信号を取得し、該信号を、照明装置１００へ送信する。
【００６５】
（ステップＳ１０４）  受信部１５０は、リモートコントローラ２００が送信した制御信号を受信し、該信号を、制御部１６０へ出力する。
【００６６】
（ステップＳ１０５）  制御部１６０は、制御信号に含まれるＯＮ命令を取得し、該命令にしたがって、照明装置１００の電源をＯＮにする。
【００６７】
（ステップＳ１０６）  ユーザが、青空＋太陽ボタン２６４を押すと、操作部２１０は、青空＋太陽ボタン２６４が押されたことを示す情報を、制御部２４０へ出力する。
【００６８】
（ステップＳ１０７）  制御部２４０は、操作部２１０が出力した青空＋太陽ボタン２６４が押されたことを示す情報を取得し、該情報に基づいて、青空に太陽が見られる状況を再現する命令を含む制御信号を作成し、該信号を、送信部２５０へ出力する。
【００６９】
（ステップＳ１０８）  送信部２５０は、制御部２４０が出力した制御信号を取得し、該信号を、照明装置１００へ送信する。
【００７０】
（ステップＳ１０９）  受信部１５０は、リモートコントローラ２００が送信した制御信号を受信し、該信号を、制御部１６０へ出力する。
【００７１】
（ステップＳ１１０）  制御部１６０は、制御信号に含まれる青空に太陽が見られる状況を再現する命令を取得し、該命令にしたがって、第一光源１１０と、第二光源１２０とを点灯させる。制御部１６０は、第一光源１１０の光量と第二光源１２０の光量との比が所定の値となるように調整する。
【００７２】
（ステップＳ１１１）  操作部２１０は、ＯＦＦボタン２６２が押されたことを検出し、該情報を、制御部２４０へ出力する。
【００７３】
（ステップＳ１１２）  制御部２４０は、操作部２１０が出力したＯＦＦボタン２６２が押されたことを示す情報を取得し、該情報に基づいて、ＯＦＦ命令を含む制御信号を作成する。制御部２４０は、該信号を、送信部２５０へ出力する。
【００７４】
（ステップＳ１１３）  送信部２５０は、制御部２４０が出力した制御信号を取得し、該信号を、照明装置１００へ送信する。
【００７５】
（ステップＳ１１４）  受信部１５０は、リモートコントローラ２００が送信した制御信号を受信し、該信号を、制御部１６０へ出力する。
【００７６】
（ステップＳ１１５）  制御部１６０は、制御信号に含まれるＯＦＦ命令を取得し、該命令にしたがって、照明装置１００の電源をＯＦＦにする。
【００７７】
図８に示されるシーケンスチャートによれば、照明装置１００は、部屋３０に、青空に太陽が見られる状況を人工的に再現できる。
【００７８】
図９は、実施形態の照明装置の動作の一例（その２）を示すシーケンスチャートである。図９に示される例では、ユーザが、リモートコントローラ２００を操作することによって、ＯＮボタン２６０、夕暮れ＋太陽ボタン２６６、ＯＦＦボタン２６２の順に押した場合の動作を示す。ステップＳ２０１−Ｓ２０５は、図８を参照して説明したステップＳ１０１−Ｓ１０５を適用できる。
【００７９】
（ステップＳ２０６）  操作部２１０は、夕暮れ＋太陽ボタン２６６が押されたことを検出し、該情報を、制御部２４０へ出力する。
【００８０】
（ステップＳ２０７）  制御部２４０は、操作部２１０が出力した夕暮れ＋太陽ボタン２６６が押されたことを示す情報を取得し、該情報に基づいて、夕暮れに太陽が見られる状況を再現する命令を含む制御信号を作成し、該信号を、送信部２５０へ出力する。
【００８１】
（ステップＳ２０８）  送信部２５０は、制御部２４０が出力した制御信号を取得し、該信号を、照明装置１００へ送信する。
【００８２】
（ステップＳ２０９）  受信部１５０は、リモートコントローラ２００が送信した制御信号を受信し、該信号を、制御部１６０へ出力する。
【００８３】
（ステップＳ２１０）  制御部１６０は、制御信号に含まれる夕暮れに太陽が見られる状況を再現する命令を取得し、該命令にしたがって、第一光源１１０と、第二光源１２０と、第三光源１３０とを点灯させる。制御部１６０は、各光源の光量比が所定の値となるように調整する。
【００８４】
（ステップＳ２１１−Ｓ２１５は、図８を参照して説明したステップＳ１１１−Ｓ１１５を適用できる。
【００８５】
図９に示されるシーケンスチャートによれば、照明装置１００は、部屋３０に、夕暮れに太陽が見られる状況を再現できる。
【００８６】
図１０は、実施形態の照明装置の動作の一例（その３）を示すシーケンスチャートである。図１０に示される例では、ユーザが、リモートコントローラ２００を操作することによって、ＯＮボタン２６０、夕暮れボタン２６８、ＯＦＦボタン２６２の順に押した場合の動作を示す。ステップＳ３０１−Ｓ３０５は、図８を参照して説明したステップＳ１０１−Ｓ１０５を適用できる。
【００８７】
（ステップＳ３０６）  操作部２１０は、夕暮れボタン２６８が押されたことを検出し、該情報を、制御部２４０へ出力する。
【００８８】
（ステップＳ３０７）  制御部２４０は、操作部２１０が出力した夕暮れボタン２６８が押されたことを示す情報を取得し、該情報に基づいて、夕暮れの状況を再現する命令を含む制御信号を作成し、該信号を、送信部２５０へ出力する。
【００８９】
（ステップＳ３０８）  送信部２５０は、制御部２４０が出力した制御信号を取得し、該信号を、照明装置１００へ送信する。
【００９０】
（ステップＳ３０９）  受信部１５０は、リモートコントローラ２００が送信した制御信号を受信し、該信号を、制御部１６０へ出力する。
【００９１】
（ステップＳ３１０）  制御部１６０は、制御信号に含まれる夕暮れの状況を再現する命令を取得し、該命令にしたがって、第二光源１２０と、第三光源１３０とを点灯させる。制御部１６０は、各光源の光量比が所定の値となるように調整する。
【００９２】
（ステップＳ３１１−Ｓ３１５は、図８を参照して説明したステップＳ１１１−Ｓ１１５を適用できる。
【００９３】
図１０に示されるシーケンスチャートによれば、照明装置１００は、部屋３０に、夕暮れの状況を人工的に再現できる。また実施形態の照明装置の動作の一例（その１〜３）は適宜組み合わせて適用しても良い。
【００９４】
前述した実施形態では、第一光源１１０、第二光源１２０、および第三光源１３０の各々が一つの発光素子で構成される場合について説明したが、この例に限られない。例えば、それぞれの光源は複数実装されてもよい。
前述した実施形態では、第二光源１２０は、第一光源１１０よりも色温度が高い光を照射する場合について説明したが、この限りでない。例えば、第二光源１２０は、第一光源１１０と同一の色温度の光を照射するようにしてもよい。
【００９５】
前述した実施形態では、リモートコントローラ２００で、照明装置１００の操作を行う場合について説明したが、この例に限られない。例えば、照明装置１００の制御部１６０が、予め設定された周期で、青空に太陽が見られる状況と、夕暮れに太陽が見られる状況と、夕暮れの状況とを順次再現するようにしてもよい。
【００９６】
前述した実施形態において、リモートコントローラ２００は、照明装置１００専用のものに限らず、パーソナルコンピュータ、携帯電話、タブレット、スマートフォン、ＰＨＳ（Personal Handy-phone System）、ＰＤＡ（Personal Digital Assistant）などの携帯機器によって実現されてもよい。
【００９７】
前述した実施形態においては、照明装置１００が、天井に設置される場合について説明したが、この例に限られない。例えば、照明装置１００が、壁や、床などに設置されてもよい。
【００９８】
図１１は、実施形態の照明装置の設置例（その２）を示す図である。図１１に示されるように、照明装置１００が、壁に設置された場合でも、その照明装置１００が設置された部屋などの空間に、青空に太陽が見られる状況と、夕暮れに太陽が見られる状況と、夕暮れの状況とを、人工的に再現できる。
【００９９】
前述した実施形態においては、照明装置１００が、第一光源１１０と、第二光源１２０と、第三光源１３０とを備える場合について説明したが、この限りでない。例えば、照明装置１００が、第一光源１１０と、第二光源１２０とを備えるようにしてもよい。この場合、第二光源１２０が照射した光は、散乱部材１４０を通じて、開口部１７１から照射される光が青色に見えるのを強調する。また、例えば、照明装置１００が、第二光源１２０と、第三光源１３０とを備えるようにしてもよい。
【０１００】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態及びその変形例は、発明の範囲や要旨に含まれると同時に、特許請求の範囲に記載された発明とその均等の範囲に含まれるものである。
【符号の説明】
【０１０１】
３０…部屋、１００…照明装置、１１０…第一光源、１１２、１２２、１３２…発光面を向けている方向、１１４、１２４、１３４…制御線、１２０・・・第二光源、１３０…第三光源、１４０…散乱部材、１５０…受信部、１６０…制御部、１７０…筐体、２００…リモートコントローラ、２１０…操作部、２４０…制御部、２５０…送信部、２６０…ＯＮボタン、２６２…ＯＦＦボタン、２６４…青空＋太陽ボタン、２６６…夕暮れ＋太陽ボタン、２６８…夕暮れボタン、２７０…バスライン
【図１】
2019043872.tif 000003
【図２】
2019043872.tif 000004
【図３】
2019043872.tif 000005
【図４】
2019043872.tif 000006
【図５】
2019043872.tif 000007
【図６】
2019043872.tif 000008
【図７】
2019043872.tif 000009
【図８】
2019043872.tif 000010
【図９】
2019043872.tif 000011
【図１０】
2019043872.tif 000012
【図１１】
2019043872.tif 000013
【国際調査報告】
2019043872.tif 000014
2019043872.tif 000015
2019043872.tif 000016
2019043872.tif 000017